【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
組み込みアプリケーションを起動して実行することが可能な画像処理装置であって、
組み込みアプリケーションと所定のユーザとの対応を示す情報を記憶する記憶手段と、
前記記憶手段に前記所定のユーザとの対応を示す情報が記憶されていない組み込みアプリケーションと当該ユーザとの対応を示す情報が、ネットワークを介して接続された他の画像処理装置において記憶されているかどうかを判定する第１の判定手段と、
前記第１の判定手段による判定の結果、前記記憶手段に前記所定のユーザとの対応を示す情報が記憶されていない組み込みアプリケーションと当該ユーザとの対応を示す情報が前記他の画像処理装置において記憶されている場合に、前記ネットワークを介して当該組み込みアプリケーションを取得する取得手段と、
前記取得手段が取得した組み込みアプリケーションと前記所定のユーザとの対応を示す情報を前記記憶手段に記憶させる制御手段とを備えることを特徴とする画像処理装置。
【請求項２】
前記記憶手段に前記所定のユーザとの対応を示す情報が記憶されていない組み込みアプリケーションであって、前記他の画像処理装置において当該所定のユーザとの対応を示す情報が記憶されている組み込みアプリケーションが前記画像処理装置に登録されているかどうかを判定する第２の判定手段を更に備え、
前記第２の判定手段による判定の結果、前記記憶手段に前記所定のユーザとの対応を示す情報が記憶されていない組み込みアプリケーションであって、前記他の画像処理装置において当該所定のユーザとの対応を示す情報が記憶されている組み込みアプリケーションが前記画像処理装置に登録されていない場合に、前記取得手段は前記ネットワークを介して当該組み込みアプリケーションを取得することを特徴とする請求項１に記載の画像処理装置。
【請求項３】
前記第２の判定手段による判定の結果、前記記憶手段に前記所定のユーザとの対応を示す情報が記憶されていない組み込みアプリケーションであって、前記他の画像処理装置において当該所定のユーザとの対応を示す情報が記憶されている組み込みアプリケーションが前記画像処理装置に登録されている場合に、前記取得手段は当該組み込みアプリケーションを取得することなく、前記制御手段は前記画像処理装置に登録されている当該組み込みアプリケーションと前記所定のユーザとの対応を示す情報を前記記憶手段に記憶させることを特徴とする請求項２に記載の画像処理装置。
【請求項４】
前記他の画像処理装置において記憶されている、組み込みアプリケーションとユーザとの対応を示す情報の更新ログ情報を取得する更新ログ情報取得手段を更に備え、
前記第１の判定手段は、前記更新ログ情報取得手段が取得した更新ログ情報に基づいて判定を行うことを特徴とする請求項１〜３のいずれか１項に記載の画像処理装置。
【請求項５】
前記取得手段は、前記組み込みアプリケーションを前記他の画像処理装置からダウンロードして取得することを特徴とする請求項１〜４のいずれか１項に記載の画像処理装置。
【請求項６】
前記組み込みアプリケーションを実行するユーザを特定するユーザ特定手段と、
前記記憶手段に記憶された情報に基づいて、前記ユーザ特定手段により特定されたユーザに対応する組み込みアプリケーションを識別可能に表示する表示手段とを更に備えることを特徴とする請求項１〜５のいずれか１項に記載の画像処理装置。
【請求項７】
前記表示手段は、前記ユーザ特定手段により特定されたユーザに対応する組み込みアプリケーションを起動するための起動画面を表示することを特徴とする請求項６に記載の画像処理装置。
【請求項８】
前記記憶手段は更に、前記組み込みアプリケーションに関する動作パラメータを示す情報を前記所定のユーザに対応付けて記憶することを特徴とする請求項１〜７のいずれか１項に記載の画像処理装置。
【請求項９】
前記画像処理装置には複数の組み込みアプリケーションを登録することが可能であって、
前記記憶手段は、前記複数の組み込みアプリケーションのうち、各ユーザにより利用される可能性のある組み込みアプリケーションとそれぞれのユーザとの対応を示す情報を記憶することを特徴とする請求項１〜８のいずれか１項に記載の画像処理装置。
【請求項１０】
組み込みアプリケーションを起動して実行することが可能な画像処理装置であって、
組み込みアプリケーションと所定のユーザとの対応を示す情報を記憶する記憶手段と、
ユーザからの指示に従って、前記記憶手段に記憶された情報を更新する更新手段と、
前記更新手段による更新の内容を示す情報を、ネットワークを介して接続された他の画像処理装置に通知する通知手段と、
前記他の画像処理装置において前記組み込みアプリケーションと前記所定のユーザとの対応を示す情報が記憶されていない場合に、当該組み込みアプリケーションを前記他の画像処理装置に対して送出する送出手段とを備えることを特徴とする画像処理装置。
【請求項１１】
前記送出手段は、前記他の画像処理装置から前記組み込みアプリケーションの取得要求があった場合に、当該アプリケーションを送出することを特徴とする請求項１０に記載の画像処理装置。
【請求項１２】
組み込みアプリケーションを起動して実行することが可能な画像処理装置の制御方法であって、
画像処理装置が、
組み込みアプリケーションと所定のユーザとの対応を示す情報を記憶する記憶手順と、
前記記憶手順で前記所定のユーザとの対応を示す情報が記憶されていない組み込みアプリケーションと当該ユーザとの対応を示す情報が、ネットワークを介して接続された他の画像処理装置において記憶されているかどうかを判定する判定手順と、
前記判定手順における判定の結果、前記記憶手順で前記所定のユーザとの対応を示す情報が記憶されていない組み込みアプリケーションと当該ユーザとの対応を示す情報が、前記他の画像処理装置において記憶されている場合に、前記ネットワークを介して当該組み込みアプリケーションを取得する取得手順と、
前記取得手順で取得された組み込みアプリケーションと前記所定のユーザとの対応を示す情報が前記記憶手順で記憶されるよう制御する制御手順とを有することを特徴とする画像処理装置の制御方法。
【請求項１３】
組み込みアプリケーションを起動して実行することが可能な画像処理装置の制御方法であって、
画像処理装置が、
組み込みアプリケーションと所定のユーザとの対応を示す情報を記憶する記憶手順と、
ユーザからの指示に従って、前記記憶手順で記憶された情報を更新する更新手順と、
前記更新手順における更新の内容を示す情報を、ネットワークを介して接続された他の画像処理装置に通知する通知手順と、
前記他の画像処理装置において前記組み込みアプリケーションと前記所定のユーザとの対応を示す情報が記憶されていない場合に、当該組み込みアプリケーションを前記他の画像処理装置に対して送出する送出手順とを有することを特徴とする画像処理装置の制御方法。
【請求項１４】
組み込みアプリケーションを起動して実行することが可能な画像処理装置を制御するためのプログラムであって、
組み込みアプリケーションと所定のユーザとの対応を示す情報を記憶する記憶処理と、
前記記憶処理で前記所定のユーザとの対応を示す情報が記憶されていない組み込みアプリケーションと当該ユーザとの対応を示す情報が、ネットワークを介して接続された他の画像処理装置において記憶されているかどうかを判定する判定処理と、
前記判定処理における判定の結果、前記記憶処理で前記所定のユーザとの対応を示す情報が記憶されていない組み込みアプリケーションと当該ユーザとの対応を示す情報が、前記他の画像処理装置において記憶されている場合に、前記ネットワークを介して当該組み込みアプリケーションを取得する取得処理と、
前記取得処理で取得された組み込みアプリケーションと前記所定のユーザとの対応を示す情報が前記記憶処理で記憶されるよう制御する制御処理とをコンピュータに実行させることを特徴とするプログラム。
【請求項１５】
組み込みアプリケーションを起動して実行することが可能な画像処理装置を制御するためのプログラムであって、
組み込みアプリケーションと所定のユーザとの対応を示す情報を記憶する記憶処理と、
ユーザからの指示に従って、前記記憶処理で記憶された情報を更新する更新処理と、
前記更新処理における更新の内容を示す情報を、ネットワークを介して接続された他の画像処理装置に通知する通知処理と、
前記他の画像処理装置において前記組み込みアプリケーションと前記所定のユーザとの対応を示す情報が記憶されていない場合に、当該組み込みアプリケーションを前記他の画像処理装置に対して送出する送出処理とをコンピュータに実行させることを特徴とするプログラム。
【請求項１６】
請求項１４または１５に記載のプログラムを格納したことを特徴とするコンピュータ読み取り可能な記憶媒体。
【手続補正２】
【補正対象書類名】明細書
【補正対象項目名】０００８
【補正方法】変更
【補正の内容】
【０００８】
本発明の画像処理装置は、組み込みアプリケーションを起動して実行することが可能な画像処理装置であって、組み込みアプリケーションと所定のユーザとの対応を示す情報を記憶する記憶手段と、前記記憶手段に前記所定のユーザとの対応を示す情報が記憶されていない組み込みアプリケーションと当該ユーザとの対応を示す情報が、ネットワークを介して接続された他の画像処理装置において記憶されているかどうかを判定する第１の判定手段と、前記第１の判定手段による判定の結果、前記記憶手段に前記所定のユーザとの対応を示す情報が記憶されていない組み込みアプリケーションと当該ユーザとの対応を示す情報が前記他の画像処理装置において記憶されている場合に、前記ネットワークを介して当該組み込みアプリケーションを取得する取得手段と、前記取得手段が取得した組み込みアプリケーションと前記所定のユーザとの対応を示す情報を前記記憶手段に記憶させる制御手段とを備えることを特徴とする。
また、本発明の画像処理装置は、組み込みアプリケーションを起動して実行することが可能な画像処理装置であって、組み込みアプリケーションと所定のユーザとの対応を示す情報を記憶する記憶手段と、ユーザからの指示に従って、前記記憶手段に記憶された情報を更新する更新手段と、前記更新手段による更新の内容を示す情報を、ネットワークを介して接続された他の画像処理装置に通知する通知手段と、前記他の画像処理装置において前記組み込みアプリケーションと前記所定のユーザとの対応を示す情報が記憶されていない場合に、当該組み込みアプリケーションを前記他の画像処理装置に対して送出する送出手段とを備えることを特徴とする。
また、本発明の画像処理装置の制御方法は、組み込みアプリケーションを起動して実行することが可能な画像処理装置の制御方法であって、画像処理装置が、組み込みアプリケーションと所定のユーザとの対応を示す情報を記憶する記憶手順と、前記記憶手順で前記所定のユーザとの対応を示す情報が記憶されていない組み込みアプリケーションと当該ユーザとの対応を示す情報が、ネットワークを介して接続された他の画像処理装置において記憶されているかどうかを判定する判定手順と、前記判定手順における判定の結果、前記記憶手順で前記所定のユーザとの対応を示す情報が記憶されていない組み込みアプリケーションと当該ユーザとの対応を示す情報が、前記他の画像処理装置において記憶されている場合に、前記ネットワークを介して当該組み込みアプリケーションを取得する取得手順と、前記取得手順で取得された組み込みアプリケーションと前記所定のユーザとの対応を示す情報が前記記憶手順で記憶されるよう制御する制御手順とを有することを特徴とする。
また、本発明の画像処理装置の制御方法は、組み込みアプリケーションを起動して実行することが可能な画像処理装置の制御方法であって、画像処理装置が、組み込みアプリケーションと所定のユーザとの対応を示す情報を記憶する記憶手順と、ユーザからの指示に従って、前記記憶手順で記憶された情報を更新する更新手順と、前記更新手順における更新の内容を示す情報を、ネットワークを介して接続された他の画像処理装置に通知する通知手順と、前記他の画像処理装置において前記組み込みアプリケーションと前記所定のユーザとの対応を示す情報が記憶されていない場合に、当該組み込みアプリケーションを前記他の画像処理装置に対して送出する送出手順とを有することを特徴とする。
また、本発明のプログラムは、組み込みアプリケーションを起動して実行することが可能な画像処理装置を制御するためのプログラムであって、組み込みアプリケーションと所定のユーザとの対応を示す情報を記憶する記憶処理と、前記記憶処理で前記所定のユーザとの対応を示す情報が記憶されていない組み込みアプリケーションと当該ユーザとの対応を示す情報が、ネットワークを介して接続された他の画像処理装置において記憶されているかどうかを判定する判定処理と、前記判定処理における判定の結果、前記記憶処理で前記所定のユーザとの対応を示す情報が記憶されていない組み込みアプリケーションと当該ユーザとの対応を示す情報が、前記他の画像処理装置において記憶されている場合に、前記ネットワークを介して当該組み込みアプリケーションを取得する取得処理と、前記取得処理で取得された組み込みアプリケーションと前記所定のユーザとの対応を示す情報が前記記憶処理で記憶されるよう制御する制御処理とをコンピュータに実行させることを特徴とする。
また、本発明のプログラムは、組み込みアプリケーションを起動して実行することが可能な画像処理装置を制御するためのプログラムであって、組み込みアプリケーションと所定のユーザとの対応を示す情報を記憶する記憶処理と、ユーザからの指示に従って、前記記憶処理で記憶された情報を更新する更新処理と、前記更新処理における更新の内容を示す情報を、ネットワークを介して接続された他の画像処理装置に通知する通知処理と、前記他の画像処理装置において前記組み込みアプリケーションと前記所定のユーザとの対応を示す情報が記憶されていない場合に、当該組み込みアプリケーションを前記他の画像処理装置に対して送出する送出処理とをコンピュータに実行させることを特徴とする。
また、本発明のコンピュータ読み取り可能な記憶媒体は、上記に記載のプログラムを格納したことを特徴とする。